(57)【要約】【課題】  高圧カットアウトの取り替えを容易に且つ安全に行うことができると共に、作業時間を短縮することができる高圧活線支持治具を提供する。【解決手段】  充電した高圧電線である高圧活線を支持している支持部材に固定された状態で、前記高圧活線を絶縁状態で支持する高圧活線支持治具１０であって、絶縁材料で形成された治具本体２０と、該治具本体２０の一端側に設けられて前記支持部材に着脱自在に固定可能な固定手段３０と、前記治具本体２０の他端側に設けられて前記高圧活線の先端部を着脱自在に保持可能な保持手段４０とを具備する。【選択図】      図１
2006149028.tif 000002
【特許請求の範囲】
【請求項１】
充電した高圧電線である高圧活線を支持している支持部材に固定された状態で、前記高圧活線を絶縁状態で支持する高圧活線支持治具であって、
絶縁材料で形成された治具本体と、該治具本体の一端側に設けられて前記支持部材に着脱自在に固定可能な固定手段と、前記治具本体の他端側に設けられて前記高圧活線の先端部を着脱自在に保持可能な保持手段とを具備することを特徴とする高圧活線支持治具。
【請求項２】
請求項１において、前記支持部材が、前記高圧活線が接続された高圧カットアウトを保持するアーム部材であると共に、前記係合手段が前記アーム部材に着脱自在に固定されることを特徴とする高圧活線支持治具。
【請求項３】
請求項１又は２において、前記治具本体が、前記固定手段と前記保持手段との間で軸方向に伸縮自在に設けられていることを特徴とする高圧活線支持治具。
【請求項４】
請求項１〜３の何れかにおいて、前記治具本体が軸に対して屈曲可能なことを特徴とする高圧活線支持治具。
【請求項５】
請求項１〜４の何れかにおいて、前記固定手段が、前記支持部材を狭持する一対の固定用挟持部と、該固定用挟持部を前記支持部材を狭持する方向に付勢する固定用付勢手段とで構成されていることを特徴とする高圧活線支持治具。
【請求項６】
請求項１〜５の何れかにおいて、前記保持手段が、前記高圧活線を狭持する一対の保持用挟持部と、該保持用挟持部を前記高圧活線を狭持する方向に付勢する保持用付勢手段とで構成されていることを特徴とする高圧活線支持治具。
【請求項７】
請求項１〜６の何れかにおいて、前記治具本体には、前記高圧活線の先端に嵌合する絶縁性を有する端末キャップが紐部材を介して設けられていると共に、前記保持手段が前記端末キャップを保持することを特徴とする高圧活線支持治具。
【請求項８】
請求項１〜６の何れかにおいて、前記保持手段には、前記高圧活線の先端に嵌合する絶縁性を有する端末キャップが固定されていることを特徴とする高圧活線支持治具。
【請求項９】
請求項８において、前記端末キャップが前記保持手段の保持力によって前記高圧活線の先端部に嵌合した状態で保持されることを特徴とする高圧活線支持治具。
【発明の詳細な説明】
【技術分野】
【０００１】
本発明は、電柱などの配電設備に設けられた高圧カットアウトを取り替える際に、高圧カットアウトに接続された高圧活線を支持するために用いる高圧活線支持治具に関する。
【背景技術】
【０００２】
電柱などの配電設備に設けられた高圧カットアウトの取り替えは、全ての高圧カットアウトを解放後、取替対象の高圧カットアウトから高圧電線を取り外した後に行われている。このような高圧カットアウトの取り替えでは、停電させずに行われるため、高圧カットアウトから取り外した高圧電線は充電した高圧活線となっている。このように高圧カットアウトの取り替えは、高圧活線を扱う作業であり、作業者の感電や地絡等の事故が生じ易いという問題がある。このため、作業者は高圧ゴム手袋及び絶縁衣を着用し、高圧活線に防具を取り付けた後、高圧カットアウトから取り外した高圧活線の先端に絶縁性の端末キャップを嵌合し、高圧活線を高圧カットアウトが保持されたアーム部材等の支持部材に絶縁シートなどを介して支持させていた。なお、高圧活線の先端に嵌合する端末キャップとしては、様々なものが提案されている（例えば、特許文献１及び２参照）。
【０００３】
しかしながら、高圧カットアウトの取り替えは電柱上での作業となり、作業空間が限られているため足場が悪く、作業姿勢が窮屈であり、また、高圧ゴム手袋を着用していることから作業効率が悪く、作業に多大な時間を要するという問題がある。
【０００４】
また、高圧活線に防具を取り付ける際に、高圧活線に荷重が加わることによって高圧カットアウト等に荷重がかかってしまい、高圧カットアウトが破損している場合には、高圧カットアウトが落下してしまったり、高圧カットアウトから高圧活線が外れることで感電や地絡等の事故が発生してしまうという問題がある。
【０００５】
【特許文献１】特開平１０−０４０７５８号公報（第２〜３頁、第１図）
【特許文献２】特開平９−０７４６３５号公報（第２〜３頁、第１〜４図）
【発明の開示】
【発明が解決しようとする課題】
【０００６】
本発明はこのような課題に鑑み、高圧カットアウトの取り替えを容易に且つ安全に行うことができると共に、作業時間を短縮することができる高圧活線支持治具を提供することを課題とする。
【課題を解決するための手段】
【０００７】
上記課題を解決する本発明の第１の態様は、充電した高圧電線である高圧活線を支持している支持部材に固定された状態で、前記高圧活線を絶縁状態で支持する高圧活線支持治具であって、絶縁材料で形成された治具本体と、該治具本体の一端側に設けられて前記支持部材に着脱自在に固定可能な固定手段と、前記治具本体の他端側に設けられて前記高圧活線の先端部を着脱自在に保持可能な保持手段とを具備することを特徴とする高圧活線支持治具にある。
【０００８】
かかる第１の態様では、高圧活線支持治具によって絶縁状態で支持部材に高圧活線を支持させることができ、地絡や感電等を防止して安全且つ容易に高圧カットアウトの取り替えを行うことができると共に、取替作業を簡略化して作業時間を短縮することができる。また、高圧活線への防具が不要となり、荷重による高圧カットアウトの落下や地絡及び感電を防止することができる。
【０００９】
本発明の第２の態様は、第１の態様において、前記支持部材が、前記高圧活線が接続された高圧カットアウトを保持するアーム部材であると共に、前記係合手段が前記アーム部材に着脱自在に固定されることを特徴とする高圧活線支持治具にある。
【００１０】
かかる第２の態様では、高圧活線支持治具によってアーム部材に高圧活線を支持させることができ、安全性を高めて効率よく作業することができる。
【００１１】
本発明の第３の態様は、第１又は２の態様において、前記治具本体が、前記固定手段と前記保持手段との間で軸方向に伸縮自在に設けられていることを特徴とする高圧活線支持治具にある。
【００１２】
かかる第３の態様では、高圧活線支持治具を伸縮自在とすることで、支持する高圧活線の近くまで保持手段を配置することができ、安全性をさらに高めることができると共に作業効率をさらに向上することができる。
【００１３】
本発明の第４の態様は、第１〜３の何れかの態様において、前記治具本体が軸に対して屈曲可能なことを特徴とする高圧活線支持治具にある。
【００１４】
かかる第４の態様では、高圧活線支持治具を回転させることで、取り替える高圧カットアウト以外の他の高圧カットアウトや高圧活線などを避けることができ、さらに安全性を高めて作業効率を向上することができる。
【００１５】
本発明の第５の態様は、第１〜４の何れかの態様において、前記固定手段が、前記支持部材を狭持する一対の固定用挟持部と、該固定用挟持部を前記支持部材を狭持する方向に付勢する固定用付勢手段とで構成されていることを特徴とする高圧活線支持治具にある。
【００１６】
かかる第５の態様では、固定用付勢手段の付勢力によって高圧活線支持治具を支持部材に容易に着脱自在に固定することができ、安全性を高めて作業効率を向上することができる。
【００１７】
本発明の第６の態様は、第１〜５の何れかの態様において、前記保持手段が、前記高圧活線を狭持する一対の保持用挟持部と、該保持用挟持部を前記高圧活線を狭持する方向に付勢する保持用付勢手段とで構成されていることを特徴とする高圧活線支持治具にある。
【００１８】
かかる第６の態様では、保持用付勢手段の付勢力によって高圧活線を保持手段で容易に着脱自在に保持させることができ、安全性及び作業効率を向上することができる。
【００１９】
本発明の第７の態様は、第１〜６の何れかの態様において、前記治具本体には、前記高圧活線の先端に嵌合する絶縁性を有する端末キャップが紐部材を介して設けられていると共に、前記保持手段が前記端末キャップを保持することを特徴とする高圧活線支持治具にある。
【００２０】
かかる第７の態様では、端末キャップを治具本体に紐部材を介して設けることで、端末キャップを探したり、予め手で握っておく必要がなく、作業効率を向上して安全性を高めることができる。
【００２１】
本発明の第８の態様は、第１〜６の何れかの態様において、前記保持手段には、前記高圧活線の先端に嵌合する絶縁性を有する端末キャップが設けられていることを特徴とする高圧活線支持治具にある。
【００２２】
かかる第８の態様では、端末キャップを探したり、予め手で握っておく必要がなく、作業効率を向上して安全性を高めることができる。
【００２３】
本発明の第９の態様は、第８の態様において、前記端末キャップが前記保持手段の保持力によって前記高圧活線の先端部に嵌合した状態で保持されることを特徴とする高圧活線支持治具にある。
【００２４】
かかる第９の態様では、保持手段の保持力によって端末キャップを高圧活線の先端に嵌合させることで、作業効率を向上して安全性を高めることができる。
【発明の効果】
【００２５】
本発明によれば、高圧カットアウトを取り替える際に、高圧活線支持治具によって充電された高圧活線を安全に且つ確実に支持させることができ、高圧カットアウトの取替作業の効率を向上して、作業時間を短縮することができる。
【発明を実施するための最良の形態】
【００２６】
以下に本発明を実施形態に基づいて詳細に説明する。
【００２７】
（実施形態１）
図１は、本発明の実施形態１に係る高圧活線支持治具の平面図である。図１に示すように、本実施形態の高圧活線支持治具１０は、四角柱形状を有する治具本体２０の一端部側に電柱に取り付けられた高圧活線を支持している支持部材に固定可能な固定手段３０と、他端部側に高圧活線の先端部を保持可能な保持手段４０と、治具本体２０に紐部材１１を介して設けられた端末キャップ５０とを具備する。
【００２８】
治具本体２０は、四角形状を有する基部２１とその両側にそれぞれ設けられた伸縮部２２と回転部２３とで構成されている。伸縮部２２は、基部２１の一端に挿入され、伸縮部２２の基部２１への挿入位置を調整することで治具本体２０は伸縮自在となっている。この基部２１と伸縮部２２とは、基部２１と伸縮部２２とを貫通して設けられた複数の伸縮用貫通孔２４の任意の位置に伸縮用係合ピン２５を挿入することで治具本体２０の伸縮方向の移動が規制されている。
【００２９】
また、基部２１の伸縮部２２とは反対側の端部には、回転部２３が回転自在に保持されている。回転部２３は、基部２１と回転部２３とを貫通して設けられた複数の回転用貫通孔２６の任意の位置に回転用係合ピン２７を挿入することで回転部２３の基部２１に対する回転方向の移動が規制されている。
【００３０】
すなわち、治具本体２０は、基部２１と伸縮部２２とによって軸方向に伸縮自在に設けられ、且つ基部２１と回転部２３とによって屈曲自在に設けられている。
【００３１】
固定手段３０は、高圧活線が支持される支持部材を挟持可能な一対の固定用挟持部３１、３２を具備する。一方の固定用挟持部３１は、伸縮部２２の基部２１とは反対側の端部が延設されて形成されており、他方の固定用挟持部３２は、一方の固定用挟持部３１に傾斜自在に保持されている。そして、固定手段３０の一対の固定用挟持部３１、３２は、先端が互いに当接するように湾曲した形状を有し、その中央部分は楕円形状の空間３３が設けられている。また、一方の固定用挟持部３１に傾斜自在に保持された他方の固定用挟持部３２は、図示しないばね等の固定用付勢手段によって先端が閉じる方向に付勢されており、固定用挟持部３２の基端部側を付勢力に抗して治具本体２０側に移動させることで、一対の固定用挟持部３１、３２の先端が互いに離れた状態となる。このような状態で、一対の固定用挟持部３１、３２の間の空間３３で詳しくは後述する高圧カットアウトを保持するアーム部材を固定用付勢手段の付勢力によって挟持させることで、高圧活線支持治具１０がアーム部材に固定される。このように、固定手段３０は、一対の保持用挟持部３１、３２の間で付勢力によってアーム部材を狭持することで、アーム部材に固定されるようにしたため、高圧活線支持治具１０は、アーム部材に容易に着脱が可能となっている。
【００３２】
保持手段４０は、高圧活線の先端部を保持する一対の保持用挟持部４１、４２を具備する。一方の保持用挟持部４１は、回転部２３の基部２１とは反対側の端部が延設されて形成されており、他方の保持用挟持部４２は、一方の保持用挟持部４１に傾斜自在に保持されている。
【００３３】
保持用挟持部４１、４２の先端側の相対向する面のそれぞれには、断面がＶ字形状の溝部４１ａ、４２ａが設けられ、この一対の溝部４１ａ、４２ａによって断面が矩形状の空間４３が画成されている。また、保持用挟持部４１、４２は、図示しないばね等の保持用付勢手段によって先端が閉じる方向に付勢されており、一方の保持用挟持部４１に傾斜自在に設けられた他方の保持用挟持部４２の基端部側を付勢力に抗して治具本体２０側に移動させることで、保持用挟持部４１、４２の先端が互いに離れた状態となる。このような状態で一対の保持用挟持部４１、４２の間の空間４３で高圧活線の先端部を保持用付勢手段の付勢力によって挟持させることで、高圧活線支持治具１０が高圧活線の先端部を着脱自在に保持することができる。
【００３４】
なお、本実施形態では、詳しくは後述するが、高圧活線の先端部に端末キャップ５０が嵌合されるため、保持用挟持部４１、４２の間の空間４３では、端末キャップ５０を保持することで、高圧活線の先端部を保持するようになっている。
【００３５】
端末キャップ５０は、保持用挟持部４２の基端部側に紐部材１１によって固定されている。このような端末キャップ５０は、一端側が塞がれた円筒形状を有し、その断面が楕円形状で形成されている。この端末キャップ５０は、絶縁性を有し弾性変形可能な材料、例えば、樹脂等で形成されている。また、端末キャップ５０は、内面の断面が楕円形状に形成されており、内径の短径が高圧活線の先端部の外径よりも小さくなっている。
【００３６】
このような端末キャップ５０は、外周面が押圧されることで弾性変形し、内面の断面が真円にされる。この状態で高圧活線の先端部を端末キャップ５０内に挿入し、端末キャップ５０の外周面の押圧を解除することで端末キャップ５０は楕円形状に戻り、高圧活線の先端部に端末キャップ５０が嵌合する。すなわち、端末キャップ５０は、弾性変形することによって高圧活線の先端に嵌合した状態で保持されるようになっている。また、端末キャップ５０を高圧活線の先端に嵌合させた後、端末キャップ５０の塞がれた先端部側を屈曲させることで端末キャップ５０が高圧活線から外れるのを防止することができる。
【００３７】
また、本実施形態では、保持手段４０は、このような端末キャップ５０が嵌合された高圧活線の先端部を保持するが、このとき、保持手段４０の一対の保持用挟持部４１、４２が溝部４１ａ、４２ａの間の空間４３で端末キャップ５０の短径方向を狭持することで、端末キャップ５０が高圧活線から外れるのをさらに防止することができる。
【００３８】
なお、高圧活線支持治具１０は、例えば、樹脂等の絶縁材料で形成されている。そして、このような高圧活線支持治具１０によって、高圧カットアウトから取り外した高圧活線をアーム部材等の支持部材に支持させることで、高圧活線に防具を装着する作業が不要となると共に支持部材に取り付ける絶縁シートなどが不要となり、作業空間が限られた電柱上での作業を安全且つ効率よく実施することができる。
【００３９】
ここで、このような高圧活線支持治具１０が用いられる電柱について説明する。なお、図２及び図３は、電柱の概略構成を示す平面図である。図２に示すように、電柱１００の上方には、水平方向に延びる高圧アーム１０１が設けられており、この高圧アーム１０１には複数の碍子１０２が並設されている。この耐張碍子１０２には、図示しない送配電線が支持され、送配電線から第１のリード線２００が延設されている。また、高圧アーム１０１の先端には、第１のリード線２００が支持された碍子１０３が固定されている。
【００４０】
また、図２及び図３に示すように、電柱１００の高圧アーム１０１の下方には、変圧器１０４が変圧器用支持バンド１０５によって支持されている。この変圧器１０４の下方には、水平方向に延びる支持アーム１０６が設けられており、その先端には、碍子１０７が設けられている。また、支持アーム１０６の先端側には、複数の高圧カットアウト１０８が並設された高圧カットアウト用アーム１０９が設けられている。この高圧カットアウト用アーム１０９は、支持アーム１０６とは直交する方向で且つ水平方向に延設されている。そして、碍子１０２に支持された送配電線から延設された第１のリード線２００が碍子１０３及び１０７に支持されて高圧カットアウト１０８に電気的に接続されている。また、高圧カットアウト１０８には、第２のリード線２０１が電気的に接続されており、第２のリード線２０１は、変圧器１０４に電気的に接続されている。
【００４１】
このような電柱１００では、高圧カットアウト１０８の取り替えは、全ての高圧カットアウト１０８を開放し、取替対象の高圧カットアウト１０８から第１及び第２のリード線２００、２０１を取り外して行われる。このとき、送配電線から延設された第１のリード線２００は充電した高圧活線となっている。そして、取り外した第１のリード線２００（高圧活線）は、支持アーム１０６や高圧カットアウト用アーム１０９などに触れて地絡してしまったり、作業者が感電してしまう事故が発生する虞がある。
【００４２】
そこで、電柱１００の高圧カットアウト１０８を取り替える際に、本発明の高圧活線支持治具１０を用いて第１のリード線２００を支持アーム１０６に支持させる。詳しくは、全ての高圧カットアウト１０８を開放し、高圧活線支持治具１０の固定手段３０を支持アーム１０６に固定する。次に、高圧活線支持治具１０を伸縮させて保持手段４０が取替対象の高圧カットアウト１０８の位置と同じ位置となるようにする。このとき、他の高圧カットアウト１０８や他の第１のリード線２００が邪魔な場合には、高圧活線支持治具１０を屈曲させる。これにより、取替対象の高圧カットアウト１０８に接続された第１のリード線２００を高圧活線支持治具１０に保持させ易くして作業効率を向上すると共に、地絡や感電などの事故を防止できる。
【００４３】
そして、高圧カットアウト１０８から第２のリード線２０１を取り外した後、第１のリード線２００を取り外す。このように取り外した第１のリード線２００の先端に端末キャップ５０を嵌合し、端末キャップ５０を介して第１のリード線２００の先端部を高圧活線支持治具１０の保持手段４０によって保持させることで、第１のリード線２００を絶縁状態で支持することができる。
【００４４】
このような状態で高圧カットアウト１０８を取り替えることにより、第１のリード線２００が支持アーム１０６等に接触して地絡することがなく、作業者が感電するのを防止して安全性を高めることができる。また、高圧活線である第１のリード線２００を高圧活線支持治具１０で支持するため、作業空間が限られた電柱上での作業を安全且つ効率よく実施することができ、作業時間を短縮することができる。また、第１のリード線２００に防具を取り付ける必要がないため、第１のリード線２００に荷重がかかることがなく、高圧カットアウトの落下や地絡、感電などの事故を防止することができる。
【００４５】
（実施形態２）
図４は、本発明の実施形態２に係る高圧活線支持治具の要部平面図である。なお、上述した実施形態と同様の構成には同一の符号を付して重複する説明は省略する。図４に示すように、本実施形態の高圧活線支持治具１０Ａの固定手段３０Ａは、治具本体２０の伸縮部２２が延設された固定用挟持部３１Ａと、この固定用挟持部３１Ａに傾斜自在に保持された固定用挟持部３２Ａとで構成されている。この一対の固定用挟持部３１Ａ、３２Ａは、その間で画成される空間３３Ａが、上述した支持アーム１０６に密着するように形成されている。詳しくは、上述した支持アーム１０６は、断面が矩形状を有するため、空間３３Ａが矩形状となるように、伸縮部２２が延設された一方の固定用挟持部３１が屈曲して形成され、他方の固定用挟持部３２Ａが直線状に形成されている。なお、固定手段３０Ａには、上述した実施形態と同様に、固定用挟持部３２Ａの先端を固定用挟持部３１Ａに向かって付勢する固定用付勢手段が設けられている。
【００４６】
このような固定手段３０Ａは、一方の固定用挟持部３１Ａの屈曲した内面が支持アーム１０６の外面に当接して固定される。そして、このように固定された高圧活線支持治具１０Ａは、固定用挟持部３１Ａの屈曲した内面が支持アーム１０６の内面に当接することから、支持アーム１０６の軸を中心とした回転方向の移動が確実に規制される。これにより、高圧活線支持治具１０Ａが回転することによって地絡及び感電等の事故が発生するのを確実に防止することができる。
【００４７】
（実施形態３）
図５は、本発明の実施形態３に係る高圧活線支持治具の要部斜視図である。なお、上述した実施形態と同様の部材には同一の符号を付して重複する説明は省略する。図５に示すように、本実施形態の高圧活線支持治具１０Ｂの保持手段４０Ａは、治具本体２０の回転部２３が延設された保持用挟持部４１Ａに端末キャップ５０Ａが固定されている。また、他方の保持用挟持部４２Ａには、溝部が形成されておらず、一方の保持用挟持部４１Ａ側の内面で端末キャップ５０Ａを押圧するようになっている。なお、保持手段４０Ａには、上述した実施形態と同様に、保持用挟持部４２Ａの先端を保持用挟持部４１Ａに向かって付勢する保持用付勢手段が設けられている。
【００４８】
このような保持手段４０Ａを有する高圧活線支持治具１０Ｂに高圧活線を保持させるには、一対の保持用挟持部４１Ａ、４２Ａの先端が離れた状態で、高圧活線の先端部を端末キャップ５０Ａに挿入し、保持用挟持部４２Ａを離すだけで保持用付勢手段の付勢力によって一対の保持用挟持部４１Ａ、４２Ａの間で端末キャップ５０Ａを押圧して、高圧活線を保持させることができる。
【００４９】
なお、このような保持手段４０Ａは、上述した実施形態１及び２の高圧活線支持治具１０、１０Ｂに適用することもできる。
【００５０】
（実施形態４）
図６は、本発明の実施形態４に係る高圧活線支持治具の要部斜視図である。なお、上述した実施形態と同様の部材には同一の符号を付して重複する説明は省略する。
【００５１】
図６に示すように、本実施形態の高圧活線支持治具１０Ｃの保持手段４０Ｂは、回転部２３が延設された保持用挟持部４１Ａと、保持用挟持部４１Ａに傾斜自在に保持された保持用挟持部４２Ｂと、保持用挟持部４２Ｂの先端を保持用挟持部４１Ａに向かって付勢する図示しない保持用付勢手段とで構成されている。
【００５２】
回転部２３が延設された保持用挟持部４１Ａは、上述した実施形態３と同様の形状を有し、保持用挟持部４２Ｂに相対向する面には端末キャップ５０Ａが固定されている。
【００５３】
保持用挟持部４２Ｂは、保持用挟持部４１Ａ側に付勢された際に、端末キャップ５０Ａの先端部に当接して、端末キャップ５０Ａの先端部側を屈曲する押圧部４４が設けられている。このような一対の保持用挟持部４１Ａ、４２Ｂで構成された保持手段４０Ｂは、図６（ｂ）に示すように、保持用挟持部４１Ａ、４２Ｂが閉じることで、保持用挟持部４２Ｂが端末キャップ５０Ａを押圧して端末キャップ５０Ａ内に高圧活線を保持すると共に、押圧部４４によって端末キャップ５０Ａの先端部を高圧活線と共に屈曲することで、端末キャップ５０Ａから高圧活線が外れ難くしている。
【００５４】
なお、このような保持手段４０Ｂは、上述した実施形態１〜３の高圧活線支持治具１０、１０Ｂに適用することもできる。
【００５５】
（他の実施形態）
以上、本発明の各実施形態を説明したが、本発明は上述した実施形態に限定されるものではない。例えば、上述した実施形態１〜４では、高圧活線支持治具１０〜１０Ｃを電柱の高圧カットアウトの取り替えで使用するようにしたが、特にこれに限定されず、例えば、本発明の高圧活線支持治具１０〜１０Ｃは、送電線鉄塔に設けられた高圧カットアウトを取り替える際に用いるようにしてもよい。
【産業上の利用可能性】
【００５６】
本発明は、高圧活線が接続された高圧カットアウトの取り替えを行う保守工事などの産業分野で利用することができる。
【図面の簡単な説明】
【００５７】
【図１】本発明の実施形態１に係る高圧活線支持治具の平面図である。
【図２】本発明の実施形態１に係る電柱の概略構成を示す平面図である。
【図３】本発明の実施形態１に係る電柱の概略構成を示す平面図である。
【図４】本発明の実施形態２に係る高圧活線支持治具の要部平面図である。
【図５】本発明の実施形態３に係る高圧活線支持治具の要部斜視図である。
【図６】本発明の実施形態４に係る高圧活線支持治具の要部斜視図である。
【符号の説明】
【００５８】
１０、１０Ａ、１０Ｂ、１０Ｃ  高圧活線支持治具
２０  治具本体
３０、３０Ａ  固定手段
４０、４０Ａ、４０Ｂ  保持手段
５０、５０Ａ  端末キャップ
１００  電柱
１０６  支持アーム
１０８  高圧カットアウト
２００  第１のリード線
２０１  第２のリード線
【図１】
2006149028.tif 000003
【図２】
2006149028.tif 000004
【図３】
2006149028.tif 000005
【図４】
2006149028.tif 000006
【図５】
2006149028.tif 000007
【図６】
2006149028.tif 000008